(57)【特許請求の範囲】
【請求項１】
利用者がエレベータのかごに乗り込む際に、当該利用者が携帯しているカードに搭載された情報記憶手段から読取手段により読み取られた当該利用者の行き先とする階を特定する行き先階情報及び前記カードの識別情報を取得する取得手段と、
前記取得手段により行き先階情報が取得されたときに、その行き先階情報と当該利用者が乗り込んだかごが運行により停止する予定の階が設定された停止階情報とを照合することで、当該利用者の行き先とする階に当該利用者が乗り込んだかごが停止するか否かの判定を行う判定手段と、
前記判定手段により停止しないと判定されたときに、当該かごが当該利用者の行き先とする階に停止しない旨と共にカードの識別情報を当該利用者に通知する通知手段と、
を有することを特徴とするエレベータ制御装置。
【請求項２】
請求項１記載のエレベータ制御装置において、
当該利用者の行き先とする階に当該利用者が乗り込んだかごが停止しないと判定した場合、当該かごの扉を、当該利用者が当該かごから降りたことを確認してから閉動作させることを特徴とするエレベータ制御装置。
【請求項３】
請求項１記載のエレベータ制御装置において、
前記情報記憶手段は、ＲＦＩＤタグであり、
前記読取手段は、前記かごの乗降口に設置されたＲＦＩＤタグリーダであることを特徴とするエレベータ制御装置。
【請求項４】
エレベータの利用者に携帯されるカードに搭載された情報記憶手段と、
エレベータのかごに乗降口に設置され、利用者がエレベータのかごに乗り込む際に、当該利用者が携帯している前記カードに搭載された前記情報記憶手段から読取手段により読み取られた当該利用者の行き先とする階を特定する行き先階情報及び前記カードの識別情報を取得する取得手段と、
かごが運行により停止する予定の階が設定された停止階情報を記憶する記憶手段と、
前記取得手段により行き先階情報が取得されたときに、その行き先階情報と当該利用者が乗り込んだかごが運行により停止する予定の階が設定された停止階情報とを照合することで、当該利用者の行き先とする階に当該利用者が乗り込んだかごが停止するか否かの判定を行う判定手段と、
前記判定手段により停止しないと判定されたときに、当該かごが当該利用者の行き先とする階に停止しない旨と共にカードの識別情報を当該利用者に通知する通知手段と、
を有することを特徴とするエレベータ運行システム。
【発明の詳細な説明】
【技術分野】
【０００１】
本発明は、エレベータ制御装置及びエレベータ運行システム、特に利用者への情報の通知に関する。
【背景技術】
【０００２】
高層ビルや小売店舗のビルなど複数台のエレベータのかごを運行しているビルでは、行き先階によって利用可能なかごが割り振られる。例えば、特許文献１では、目的階床毎にかごを割り当てると、かご毎に行き先階床を表示して利用者に利用可能なかごを知らせる技術が提案されている。
【先行技術文献】
【特許文献】
【０００３】
【特許文献１】国際公開第０６／０４３３２４号パンフレット
【特許文献２】特開２００８−１２０５７８号公報
【発明の概要】
【発明が解決しようとする課題】
【０００４】
しかしながら、かごが停止する階床を表示したとしても、表示の見落としなどにより利用者が誤ったかごに乗ってしまう可能性がある。従来の技術においては、誤ったかごの乗ったことをその利用者に通知する手段がないため、利用者は、行き先とする階に停止しないかごに誤って乗ったとしても、そのことに気づかないままかごが動き始めてしまう場合があった。
【０００５】
本発明は、利用者が乗り込んだかごが当該利用者の行き先とする階に停止しない旨を当該利用者に通知することを目的とする。
【課題を解決するための手段】
【０００６】
本発明に係るエレベータ制御装置は、利用者がエレベータのかごに乗り込む際に、当該利用者が携帯しているカードに搭載された情報記憶手段から読取手段により読み取られた当該利用者の行き先とする階を特定する行き先階情報及び前記カードの識別情報を取得する取得手段と、前記取得手段により行き先階情報が取得されたときに、その行き先階情報と当該利用者が乗り込んだかごが運行により停止する予定の階が設定された停止階情報とを照合することで、当該利用者の行き先とする階に当該利用者が乗り込んだかごが停止するか否かの判定を行う判定手段と、前記判定手段により停止しないと判定されたときに、当該かごが当該利用者の行き先とする階に停止しない旨と共にカードの識別情報を当該利用者に通知する通知手段と、を有することを特徴とする。
【０００８】
また、当該利用者の行き先とする階に当該利用者が乗り込んだかごが停止しないと判定した場合、当該かごの扉を、当該利用者が当該かごから降りたことを確認してから閉動作させることを特徴とする。
【０００９】
また、前記情報記憶手段は、ＲＦＩＤタグであり、前記読取手段は、前記かごの乗降口に設置されたＲＦＩＤタグリーダであることを特徴とする。
【００１０】
本発明に係るエレベータ運行システムは、エレベータの利用者に携帯されるカードに搭載された情報記憶手段と、エレベータのかごに乗降口に設置され、利用者がエレベータのかごに乗り込む際に、当該利用者が携帯している前記カードに搭載された前記情報記憶手段から読取手段により読み取られた当該利用者の行き先とする階を特定する行き先階情報及び前記カードの識別情報を取得する取得手段と、かごが運行により停止する予定の階が設定された停止階情報を記憶する記憶手段と、前記取得手段により行き先階情報が取得されたときに、その行き先階情報と当該利用者が乗り込んだかごが運行により停止する予定の階が設定された停止階情報とを照合することで、当該利用者の行き先とする階に当該利用者が乗り込んだかごが停止するか否かの判定を行う判定手段と、前記判定手段により停止しないと判定されたときに、当該かごが当該利用者の行き先とする階に停止しない旨と共にカードの識別情報を当該利用者に通知する通知手段と、を有することを特徴とする。
【発明の効果】
【００１１】
本発明によれば、利用者が乗り込んだかごが行き先とする階に停止しない旨を当該利用者に通知することができるので、エレベータの乗り間違いを防止することができる。
【図面の簡単な説明】
【００１２】
【図１】本発明に係るエレベータ装置の一実施の形態を示したブロック構成図である。
【図２】本実施の形態におけるエレベータ装置のハードウェア構成の一例を示した図である。
【図３】本実施の形態における動作を示したフローチャートである。
【発明を実施するための形態】
【００１３】
以下、図面に基づいて、本発明の好適な実施の形態について説明する。
【００１４】
図１は、本発明に係るエレベータ運行システムの一実施の形態を示したブロック構成図である。図２は、図１に示したエレベータ制御装置のハードウェア構成の一例を示した図である。本実施の形態におけるエレベータ制御装置を有するエレベータ運行システムは、複数台のエレベータのかごを、かごによって異なる階に停止可能に運行制御する。従って、本実施の形態におけるエレベータ運行システムは、高層ビルなどのように各かごの行き先階が予め割り振られている施設や、小売店舗のビルなどのように同じかごでも時間帯によって停止する階が異なるように運行制御する施設の利用に好適である。
【００１５】
図２を用いて本実施の形態におけるエレベータ運行システムの全体構成及びハードウェア構成について説明する。本実施の形態におけるエレベータ運行システムは、複数台のエレベータのかご３０と、かご３０それぞれに対応して設置され、対応するかご３０の動作制御を行う各号機制御装置１０と、各号機制御装置１０それぞれと接続され、各号機制御装置１０と連携動作しながらエレベータの運行制御を行う群管理装置２０と、が示されている。なお、図２では、図１と同様、各号機制御装置１０とかご３０とは、それぞれ同様の構成でよいため１台のみ図示している。
【００１６】
ＲＦＩＤ（Ｒａｄｉｏ  Ｆｒｅｑｕｅｎｃｙ  ＩＤｅｎｔｉｆｉｃａｔｉｏｎ）タグ４０には、ＲＦＩＤタグ４０及び携帯する利用者の各識別情報、当該利用者の行き先とする階を特定する行き先階情報が記憶されている。なお、当該利用者の行き先とする階を「行き先階」とも称することにする。
【００１７】
かご３０には、かご３０の利用者が携帯しているＲＦＩＤタグ４０に記憶されている情報を読み取るＲＦＩＤタグリーダ３１と、音を出力することでかご３０の利用者に情報を伝えるスピーカ３２と、文字や画像等の情報を表示することでかご３０の利用者に情報を伝えるディスプレイ３３とが、搭載されている。かご３０には、その他にも行き先階を指定するボタン等が設置されているが、本実施の形態の説明に必要でない構成は図から省略している。本実施の形態におけるかご３０には、従来からあるハードウェア構成にＲＦＩＤタグリーダ３１を追加して構成してもよい。
【００１８】
なお、本実施の形態では、ＲＦＩＤタグリーダ３１を、かご３０の乗降口に設けるようにしたが、利用者が携帯しているＲＦＩＤタグ４０に記憶されている情報をかご３０に乗り込む際に読み取れればよいので、必ずしもかご３０に設置する必要はなく、例えば、エレベータ乗場のかご３０への乗降口に設置するようにしてもよい。
【００１９】
また、本実施の形態では、かご３０の利用者が情報記憶手段としてＲＦＩＤタグ４０を携帯しているため、ＲＦＩＤタグ４０に記憶されている情報を読み取るために読取手段としてＲＦＩＤタグリーダ３１を設けたが、かご３０には、利用者が携帯する情報記憶手段の種類に対応した情報記憶手段を設ける必要がある。従って、かご３０に設けるのは、ＲＦＩＤタグリーダ３１に限るものではなく、また、１種類の情報読取手段と限定しなくてもよい。
【００２０】
本実施の形態における各号機制御装置１０は、本発明に係るエレベータ制御装置の一形態であり、コンピュータにより実現される。このコンピュータは、従前から存在する汎用的なハードウェア構成で実現できる。すなわち、コンピュータは、図２に示したようにＣＰＵ１、ＲＯＭ２、ＲＡＭ３、ハードディスクドライブ（ＨＤＤ）４を接続したＨＤＤコントローラ５、入出力コントローラ６、通信手段として設けられたネットワークコントローラ７を内部バス１１に接続して構成される。本実施の形態における入出力コントローラ６には、対応するかご３０に設置されたスピーカ３２及びディスプレイ３３に直接又は間接的に接続される。入出力コントローラ６は、ＣＰＵ１からの指示に従い音情報及び画像情報をスピーカ３２及びディスプレイ３３に出力する。また、入出力コントローラ６には、メンテナンス等の目的のために入力手段としてキーボード８あるいはマウス（図示せず）や表示装置としてディスプレイ９をそれぞれ接続してもよい。ネットワークコントローラ７は、群管理装置２０及びネットワークコントローラ３４を介してＲＦＩＤタグリーダ３１と接続される。
【００２１】
本実施の形態における群管理装置２０は、各号機制御装置１０と同様にコンピュータにより実現されるので、ハードウェア構成は各号機制御装置１０と同様でよい。
【００２２】
次に、図１を用いて本実施の形態におけるエレベータ運行システムの機能構成について説明する。
【００２３】
群管理装置２０は、停止階情報送信部２１及び停止階情報記憶部２２を有している。停止階情報送信部２１は、各号機制御装置１０からの要求に応じて停止階情報を停止階情報記憶部２２から読み出し送信する。停止階情報記憶部２２には、その停止階情報が記憶されている。停止階情報というのは、各号機制御装置１０それぞれが群管理装置２０と連携して運行を制御するかご３０がどの階に停止させるかという、その停止する階を特定するための情報である。本実施の形態では、運行制御に従い各かご３０が停止する階のことを「停止階」と称している。停止階情報は、かご３０若しくは各号機制御装置１０を識別する情報に、当該かご３０が停止する１又は複数の停止階を特定する情報が対応付けして予め設定されている。
【００２４】
停止階情報送信部２１は、群管理装置２０を形成するコンピュータと、コンピュータに搭載されたＣＰＵ１で動作するプログラムとの協調動作により実現される。また、停止階情報記憶部２２は、群管理装置２０に搭載されたＨＤＤ４で実現してもよい。
【００２５】
かご３０は、行き先階情報読取部３５、行き先階情報送信部３６、アナウンス部３７及び表示部３８を有している。行き先階情報読取部３５は、ＲＦＩＤタグリーダ３１により実現され、利用者が携帯しているＲＦＩＤタグ４０から少なくとも行き先階情報を読み取る。行き先階情報送信部３６は、ネットワークコントローラ３４により実現され、行き先階情報読取部３５が読み取った行き先階情報を各号機制御装置１０へ送信する。アナウンス部３７は、スピーカ３２により実現され、各号機制御装置１０から送信されてきた音情報を出力する。表示部３８は、ディスプレイ３３により実現され、各号機制御装置１０から送信されてきた画像情報を表示する。
【００２６】
各号機制御装置１０は、行き先階情報受信部１５、停止階情報受信部１６、判定部１７及び通知部１８を有している。行き先階情報受信部１５は、かご３０から送信されてくる行き先階情報を受信することにより取得する。停止階情報受信部１６は、群管理装置２０から送信されてくる停止階情報を受信することにより取得する。判定部１７は、行き先階情報受信部１５により行き先階情報が取得されたときに、その行き先階情報と停止階情報受信部１６により取得された停止階情報とを照合することで、当該利用者の行き先とする階に当該利用者が乗り込んだかごが停止するか否かの判定を行う。通知部１８は、判定部１７により停止しないと判定されたときに、アナウンス部３７及び表示部３８を作動させて当該かご３０が当該利用者の行き先階に停止しない旨を当該かご３０の乗降が開始される前に当該利用者に通知する。換言すると、かごを乗降させる機構は、判定部１７により停止しないと判定されたときに、通知部１８がその旨を通知したことを確認してから当該かご３０の扉を閉じて乗降を開始する。
【００２７】
各号機制御装置１０における各構成要素１５〜１８は、各号機制御装置１０を形成するコンピュータと、コンピュータに搭載されたＣＰＵ１で動作するプログラムとの協調動作により実現される。
【００２８】
また、本実施の形態で用いるプログラムは、通信手段により提供することはもちろん、ＣＤ−ＲＯＭやＤＶＤ−ＲＯＭ等のコンピュータ読み取り可能な記録媒体に格納して提供することも可能である。通信手段や記録媒体から提供されたプログラムはコンピュータにインストールされ、コンピュータのＣＰＵがインストールプログラムを順次実行することで各種処理が実現される。
【００２９】
次に、本実施の形態において、利用者がかご３０に乗り込む際に実施される動作について図３に示したフローチャートを用いて説明する。
【００３０】
例えば、ある企業のビルの訪問客に対し、正規の来客であることを証明するために訪問証等をビル内にいるときには携帯させる企業が少なくない。このような場合、訪問証に埋め込まれたＲＦＩＤタグ４０に、訪問先の部署のある階を特定する情報を行き先階情報として書き込んでから訪問証を訪問客に渡す。エレベータの利用者となるその訪問客は、目的とする階、つまり行き先階へ行くためにエレベータのかご３０に乗り込むと、行き先階情報読取部３５は、その乗り込む際、ＲＦＩＤタグ４０に記憶されている行き先階情報を読み取る。行き先階情報送信部３６は、その読み取られた行き先階情報を各号機制御装置１０へ送信する。
【００３１】
各号機制御装置１０における行き先階情報受信部１５がかご３０から送られてきた行き先階情報を受信することで取得すると（ステップ１１０）、停止階情報受信部１６は、行き先階情報の送信元のかご３０若しくは自装置の識別情報を含む送信要求を群管理装置２０へ送信する。群管理装置２０における停止階情報送信部２１は、この送信要求に応じて識別情報に対応付けされた停止階情報を停止階情報記憶部２２から読み出し、その読み出した停止階情報を要求元の各号機制御装置１０へ送信する。
【００３２】
このようにして、停止階情報受信部１６が群管理装置２０から停止階情報を受信することにより取得すると（ステップ１２０）、判定部１７は、行き先階情報受信部１５が取得した行き先階情報と、停止階情報受信部１６が取得した停止階情報とを照合し、行き先階情報から特定される階に、当該かご３０が停止するか否かを判定する（ステップ１３０）。ここで、行き先階と一致する停止階が停止階情報に設定されていることにより、当該かご３０が行き先階に停止すると判定した場合（ステップ１４０でＹ）、各号機制御装置１０は、従前通り、群管理装置２０と連携動作し、かご扉を閉め、かご３０を乗降させる。
【００３３】
一方、かご３０が行き先階に停止しないと判定した場合（ステップ１４０でＮ）、通知部１８は、判定部１７におけるその判定結果に従い、アナウンス部３７及び表示部３８にその旨を出力させる。具体的には、通知部１８は、停止しない旨を示す音情報を生成してアナウンス部３７、すなわちスピーカ３２から音出力させる。また、通知部１８は、停止しない旨を示す画像情報を生成して表示部３８、すなわちディスプレイ３３に表示する。このようにして、通知部１８は、乗り込んだかご３０が行き先階に停止しない旨を利用者に通知する（ステップ１５０）。
【００３４】
以上の停止しない旨を音若しくは表示により知らされると、当該利用者は、乗り込んだかご３０から降りて、正しいかごに乗り換えることになる。
【００３５】
ところで、利用者がかごを乗り換えるために乗り込んだかご３０から降りる必要があるので、上記通知は、当然ながらかご３０の扉が閉まる前に行う必要がある。また、ＲＦＩＤタグ４０を携帯していることから利用者がかご３０から降りたことを確認できるので、その利用者がかご３０から降りたことを確認してからかご扉を閉めるよう扉の開閉を制御してもよい。これにより、エレベータの乗り間違いをより確実に防止できる。
【００３６】
更に、利用者がかご３０から降りたことを確認してからかごの乗降を行うようにすれば、故意に行き先階に停止しないかご３０に乗り込んだ利用者が他の乗客に混ざって行き先階以外の階で降りることを阻止できるので、セキュリティ上においても有効である。
【００３７】
また、上記説明から明らかなように、利用者が携帯するＲＦＩＤタグ４０に記憶された行き先階情報から特定される行き先階は、停止階情報と照合されるが、この停止階情報は、照合処理（ステップ１３０）が行われるまでに取得できていればよい。従って、図３に示した処理手順では、行き先階情報が取得されると、群管理装置２０からその都度取得することになるが、図３に示した処理手順とは別に、停止階情報が更新されたタイミングで群管理装置２０から事前に取得しておくようにしてもよい。あるいは、少なくとも対応するかご３０の停止階情報を含む停止階情報記憶部２２を各号機制御装置１０に持たせておくことで、各号機制御装置１０は、群管理装置２０から取得せずに内部に有する停止階情報記憶部２２から取得するように構成してもよい。
【００３８】
また、かご３０には、複数の利用者が同時に乗り込む場合が容易に想定しうる。この場合、誤ったかご３０に乗り込んだ利用者は、自分に向けての通知であるかどうかを判断できない可能性もある。従って、停止しない旨の通知に、例えば訪問証に印刷されたカード番号を合わせて出力するようにしてもよい。具体的には、行き先階情報読取部３５は、行き先階情報と共に、訪問証に印刷され、その訪問証を識別する識別情報としてのカード番号をＲＦＩＤタグ４０を読み取り、各号機制御装置１０へ送信する。そして、通知部１８は、停止しない旨を通知する際、停止しない旨と共にカード番号を合わせて通知する。これにより、そのカード番号が割り振られている訪問証を携帯する利用者は、複数の利用者が同時にかご３０に乗り込んだ場合でも、自分が誤ったかご３０に乗り込んだことを認識できる。なお、ここでは、ＲＦＩＤタグ４０が搭載される媒体の一例として訪問証に相当するカードを示したが、カードに限定する必要はない。
【符号の説明】
【００３９】
１  ＣＰＵ、２  ＲＯＭ、３  ＲＡＭ、４  ハードディスクドライブ（ＨＤＤ）、５  ＨＤＤコントローラ、６  入出力コントローラ、７  ネットワークコントローラ、８  キーボード、９，３３  ディスプレイ、１０  各号機制御装置、１１  内部バス、１５  行き先階情報受信部、１６  停止階情報受信部、１７  判定部、１８  通知部、２０  群管理装置、２１  停止階情報送信部、２２  停止階情報記憶部、３０  かご、３１  ＲＦＩＤタグリーダ、３２  スピーカ、３４  ネットワークコントローラ、３５  行き先階情報読取部、３６  行き先階情報送信部、３７  アナウンス部、３８  表示部、４０  ＲＦＩＤタグ。
【図１】
0005597522.tif 000002
【図２】
0005597522.tif 000003
【図３】
0005597522.tif 000004